(57)【特許請求の範囲】
【請求項１】
グリップ、及びグリップの先端に設けられたヘッド部を備えるシャワーヘッド本体と、前記ヘッド部の正面側に装着されるシャワーキャップと、前記ヘッド部内に収納され、内部に浄化材が充填された水処理カートリッジと、環状のパッキンと、を備え、
前記パッキンには、前記水処理カートリッジに圧着される内側の平面部と、背面側の平面部とが形成されており、
前記パッキンが、前記ヘッド部内における前記水処理カートリッジの一次側と二次側とを水密に隔離するように設けられ、
前記パッキンの前記内側の平面部が前記水処理カートリッジに圧着され、背面側の平面部が前記ヘッド部の正面側の先端部に圧着されている、シャワーヘッド。
【請求項２】
前記ヘッド部の正面側の先端部における前記パッキンの背面側の平面部に圧着されている部分に凸状部が設けられている、請求項１に記載のシャワーヘッド。
【請求項３】
前記水処理カートリッジの外面には、前記ヘッド部内で一次側に向けられる側に段差が設けられ、
前記ヘッド部内には、前記段差に当接して前記水処理カートリッジを支持する支持部が設けられている、請求項１又は２に記載のシャワーヘッド。
【請求項４】
前記シャワーキャップの前記ヘッド部への装着構造がバヨネット式である、請求項１〜３のいずれか一項に記載のシャワーヘッド。
【発明の詳細な説明】
【技術分野】
【０００１】
本発明は、シャワーヘッドに関する。
【背景技術】
【０００２】
一般家庭の浴室、洗面台、理容院、美容院等で使用されるシャワーに供給される原水は、通常、水道水である。しかし、水道水には残留塩素が多く含まれているため、頻繁に頭髪や身体をシャワーで洗浄すると、頭髪に傷みや変色が生じたり、肌荒れが生じたりすることがある。そこで、脱塩素機能を有する亜硫酸カルシウム等の脱塩素剤が充填された水処理カートリッジを備えるシャワーヘッドが提案されている。
【０００３】
水処理カートリッジを備えるシャワーヘッドとしては、例えば、以下のものが挙げられる。
（ｉ）シャワーヘッド本体のヘッド部の正面側にシャワーキャップが装着され、前記ヘッド部内に水処理カートリッジが収納され、前記ヘッド部内における前記水処理カートリッジの外側にバイパス流路が設けられたシャワーヘッド（特許文献１）。
（ｉｉ）シャワーヘッド本体のヘッド部の正面側にシャワーキャップが装着され、前記ヘッド部内に水処理カートリッジが収納され、前記ヘッド部内における一次側と二次側とがＯリングによって水密に隔離されるシャワーヘッド（特許文献２）。
【０００４】
（ｉ）のシャワーヘッドでは、原水の大部分が水処理カートリッジを通過する一方、原水の一部がバイパス路を通り、水処理カートリッジの二次側で合流して散水される。このように、原水の一部がバイパス路を通ることで、水処理カートリッジの脱塩素剤を高密度に充填した場合でも圧力損失が低減される。しかし、バイパス路を通った原水は未処理となるため、バイパス路近傍の散水孔から散水される水の残留塩素濃度が高くなる傾向がある。
【０００５】
（ｉｉ）のシャワーヘッドでは、ヘッド部内にバイパス路を設けないため、原水の全量が水処理カートリッジ内を通過して脱塩素処理される。しかし、水処理カートリッジをヘッド部内に挿入する際にＯリングがねじれ、ヘッド部内における水処理カートリッジの一次側と二次側との隔離の水密性が不十分になることがある。また、カートリッジ交換を繰り返すと、その際の摺動によってＯリングに摩耗や損傷等が生じることで、ヘッド部内における水処理カートリッジの一次側と二次側との隔離の水密性が低下しやすい。
【先行技術文献】
【特許文献】
【０００６】
【特許文献１】特開平１１−２３９７４０号公報
【特許文献２】特開２０００−２７１０３３号公報
【発明の概要】
【発明が解決しようとする課題】
【０００７】
本発明は、水処理カートリッジを繰り返し交換しても、ヘッド部内における水処理カートリッジの一次側と二次側との隔離の水密性を充分に確保できるシャワーヘッドを提供することを目的とする。
【課題を解決するための手段】
【０００８】
本発明は、以下の構成を有する。
［１］グリップ、及びグリップの先端に設けられたヘッド部を備えるシャワーヘッド本体と、前記ヘッド部の正面側に装着されるシャワーキャップと、前記ヘッド部内に収納され、内部に浄化材が充填された水処理カートリッジと、環状で内側に平面部が形成されたパッキンと、を備え、
前記パッキンが、前記ヘッド部内における前記水処理カートリッジの一次側と二次側とを水密に隔離するように設けられている、シャワーヘッド。
［２］前記水処理カートリッジの外面には、前記ヘッド部内で一次側に向けられる側に段差が設けられ、
前記ヘッド部内には、前記段差に当接して前記水処理カートリッジを支持する支持部が設けられている、［１］に記載のシャワーヘッド。
［３］前記シャワーキャップの前記ヘッド部への装着構造がバヨネット式である、［１］又は［２］に記載のシャワーヘッド。
【発明の効果】
【０００９】
本発明のシャワーヘッドでは、水処理カートリッジを繰り返し交換しても、ヘッド部内における水処理カートリッジの一次側と二次側との隔離の水密性を充分に確保することができる。
【図面の簡単な説明】
【００１０】
【図１】本発明のシャワーヘッドの一例を示した断面図である。
【図２】図１のシャワーヘッドの水処理カートリッジを示した側面図である。
【図３】図１のシャワーヘッドの水処理カートリッジを示した正面図である。
【発明を実施するための形態】
【００１１】
以下、本発明のシャワーヘッドの一例を示して説明する。
本実施形態のシャワーヘッド１は、図１に示すように、シャワーヘッド本体１０と、シャワーキャップ１２と、水処理カートリッジ１４と、パッキン１６と、を備えている。
【００１２】
シャワーヘッド本体１０は、グリップ１８と、グリップ１８の先端に設けられたヘッド部２０とを備えている。
グリップ１８としては、特に限定されず、把持可能な筒状で、下端部をシャワーホース等と接続できるようになっているものが挙げられる。
【００１３】
ヘッド部２０は、正面視形状が円形状で、グリップ１８に対して正面側に突き出るように設けられている。ヘッド部２０の内部には、グリップ１８内の流路１８ａと連通する空洞部分からなる、水処理カートリッジ１４を収納する収納部２２が形成されている。
【００１４】
ヘッド部２０内の収納部２２よりも背面側には、収納部２２に収納された水処理カートリッジ１４に当接して支持する板状の支持部２４が複数設けられている。複数の支持部２４は、ヘッド部２０を正面視したときの内周壁沿いに中心に向かって突出するように、内周壁に沿って間隔を空けて設けられている。収納部２２に水処理カートリッジ１４が収納された状態では、支持部２４におけるヘッド部２０の正面側の先端部が水処理カートリッジ１４に当接するようになっている。
なお、支持部の形状は、板状には限定されない。また、支持部の数は、特に限定されず、適宜決定することができる。例えば、ヘッド部２０内の収納部２２よりも背面側において、ヘッド部２０を正面視したときの内周壁沿いに全周にわたって連続して形成された１つの支持部が設けられていてもよい。
【００１５】
また、ヘッド部２０内には、背面側の内壁面におけるヘッド部２０を正面視したときの中心部から正面に向かって突出する支柱２６が設けられている。支柱２６は、棒状の支柱本体２６ａと、支柱本体の先端面から突出する突起２６ｂとを備えている。支柱２６における突起２６ｂは、後述する水処理カートリッジ１４の窪部１７ａに嵌まり込むようになっている。
【００１６】
ヘッド部２０における正面側の先端部２８は、円筒状の第１周壁部３０と、第１周壁部３０を囲う円筒状の第２周壁部３２とからなり、全周にわたって二重構造となっている。すなわち、ヘッド部２０の先端部２８は、ヘッド部２０を正面視したときに、内側から第１周壁部３０と第２周壁部３２がこの順に設けられた二重構造になっている。第１周壁部３０と第２周壁部３２とは互いに離間して設けられ、それらの間に隙間が形成されている。
【００１７】
内側の第１周壁部３０の外壁面には、周方向に延びる複数の凸条３４が部分的に設けられている。また、第１周壁部３０の外壁面における凸条３４よりも先端側には、全周にわたって溝３６が設けられている。溝３６には、Ｏリング３８が装着されている。
【００１８】
シャワーキャップ１２は、円筒状の側壁部４０と、側壁部４０の先端開口部を閉じるように設けられた円板状の散水板４２とを備えている。側壁部４０における散水板４２と反対側の後端側部分における内壁面には、ヘッド部２０の第１周壁部３０に設けられた複数の凸条３４にそれぞれ対応する複数の凹部４４が部分的に設けられている。側壁部４０の内壁面を正面視したときの凹部４４の形状は、側壁部４０における散水板４２と反対側の縁から散水板４２に向かって延び、さらに周方向に垂直に屈曲した形状になっている。
【００１９】
側壁部４０における散水板４２と反対側の後端側部分は、シャワーキャップ１２がヘッド部２０の正面側に装着される際に、ヘッド部２０の第１周壁部３０と第２周壁部３２の間に挿入される。このとき、ヘッド部２０の第１周壁部３０に設けられた凸条３４が凹部４４に嵌まるように側壁部４０の後端側部分を第１周壁部３０と第２周壁部３２の間に挿入する。そして、シャワーキャップ１２を周方向に回転させ、凸条３４を凹部４４における周方向に延びる部分の奥側へと移動させる。このように凸条３４が凹部４４に嵌まり込むことで、シャワーキャップ１２がヘッド部２０に装着された状態でロックされる。
また、この状態では、シャワーキャップ１２の側壁部４０とヘッド部２０の第１周壁部３０との間がＯリング３８によって水密に封じられる。
【００２０】
本発明では、シャワーキャップのヘッド部への装着構造は、この例のようなバヨネット式であることが好ましい。シャワーキャップの装着構造がバヨネット式であれば、螺合による装着に比べてシャワーキャップの装着及び取り外しが容易になる。そのため、カートリッジ交換の際に手に石鹸やシャンプー等が付着していても、容易にシャワーキャップを取り外してカートリッジ交換を行うことができる。
【００２１】
散水板４２には、複数の散水孔４２ａが形成されている。散水板４２における散水孔４２ａの数は特に限定されず、適宜決定できる。また、散水板４２における散水孔４２ａの分布パターンも特に限定されず、公知のパターンを採用できる。
【００２２】
シャワーヘッド本体１０及びシャワーキャップ１２の材質としては、特に限定されず、シャワーヘッドに用いられる公知の材質を採用できる。具体的には、例えば、ポリプロピレン、ポリフェニレンエーテル、ポリオキシメチレン、ポリカーボネート、ＡＢＳ、ＡＳＡ、ＰＭＰ樹脂等の軟化点が８０℃以上の耐熱性の樹脂や、ステンレス等の金属等が挙げられる。
シャワーヘッド本体１０及びシャワーキャップ１２の製造方法は、特に限定されず、公知の成形方法等を採用できる。
【００２３】
水処理カートリッジ１４は、図１〜３に示すように、円筒状の胴部１４ａと、胴部１４ａの一方の開口端を閉じるように設けられた円板状の第１板部１４ｂと、胴部１４ａの他方の開口端を閉じるように設けられた円板状の第２板部１４ｃと、を備えている。第１板部１４ｂ及び第２板部１４ｃは、それぞれ中央部分が外側に突き出るように湾曲している。この例では、水処理カートリッジ１４は、ヘッド部２０内において、第１板部１４ｂが一次側、第２板部１４ｃが二次側となるように収納されている。
水処理カートリッジ１４の内部には浄化材１３が充填されている。
【００２４】
第１板部１４ｂには、複数の開口１５ａが形成されている。また、第２板部１４ｃには、複数の開口１５ｂが形成されている。この例では、グリップ１８の流路１８ａを通じてヘッド部２０内に流通してきた原水が、開口１５ａから水処理カートリッジ１４内に流入して浄化材１３中を通過し、浄水が開口１５ｂから流出するようになっている。
【００２５】
水処理カートリッジ１４の第１板部１４ｂにおける外面の中央部分には、図１及び図３に示すように、窪部１７ａが形成されている。また、第１板部１４ｂの外面における周縁部分には、図１及び図２に示すように、全周にわたって円環状の凹条からなる段差４６が形成されている。
【００２６】
ヘッド部２０内の収納部２２に水処理カートリッジ１４を収納した状態では、ヘッド部２０内に設けられた支持部２４の先端部が段差４６に嵌まるように水処理カートリッジ１４に当接されることで、水処理カートリッジ１４が支持される。本発明では、このように、水処理カートリッジにおけるヘッド部内で一次側に向けられる側の外面に段差を設け、前記ヘッド部内に設けた支持部を該段差に当接させて水処理カートリッジを支持するようにすることが好ましい。これにより、ヘッド部内で水処理カートリッジが安定して保持される。
また、この例では、ヘッド部２０に水処理カートリッジ１４を収納した状態で、支柱２６の突起２６ｂが窪部１７ａに嵌まり込む。そのため、ヘッド部２０内で水処理カートリッジ１４がより安定して保持されるようになっている。
【００２７】
浄化材１３としては、特に限定されず、例えば、脱塩素剤、イオン交換樹脂、活性炭等が挙げられる。原水中の残留塩素を除去する場合は、例えば、粒状の脱塩素剤と合成繊維とを混合して成形したもの、粉末の脱塩素剤を不織布シートで包んだもの等を用いてもよい。脱塩素剤としては、特に限定されず、例えば、亜硫酸カルシウム、アスコルビン酸等が挙げられる。浄化材１３は、１種であってもよく、２種以上であってもよい。
浄化材１３には、脱塩素剤の他に、臭気除去剤、保湿剤、清涼剤、芳香剤等の薬剤が含有されていてもよい。
【００２８】
この例の水処理カートリッジ１４においては、第２板部１４ｃにおいても、第１板部１４ｂと同様に、外面の中央部分に窪部１７ｂが形成され、また外面の周縁部分に全周にわたって円環状の凹条からなる段差４８が形成されている。これにより、第２板部１４ｃが一次側に向くように水処理カートリッジ１４をヘッド部２０内に収納した場合も、支持部２４及び支柱２６によって水処理カートリッジ１４が安定して保持されるようになっている。
【００２９】
パッキン１６は、環状で、内側に平面部が形成されたパッキンである。パッキン１６は、ヘッド部２０内における水処理カートリッジ１４の一次側と二次側を水密に隔離する役割を果たす。
【００３０】
この例のパッキン１６は、円環状で、円環に垂直な断面形状が五角形状になっている。このように、パッキン１６は、５つの平面部を有し、そのうちの内側の２つの平面部１６ａ，１６ｂが断面においてＶ字状に突き出すように形成されているＶ型パッキンである。なお、パッキンの断面形状は、内側に平面部が形成されたものであれば、五角形状には限定されず、例えば、四角形や六角形等であってもよい。
【００３１】
パッキン１６は、この例では、シャワーキャップ１２側の平面部分が、シャワーキャップ１２における側壁部４０の内壁面の散水板４２側に密着するように固定されている。また、水処理カートリッジ１４がヘッド部２０内に収納された状態でシャワーキャップ１２が装着されたときには、パッキン１６は、その内側における背面側の平面部１６ａが水処理カートリッジ１４における胴部１４ａの第２板部１４ｃ寄りに密着するように、全周にわたって圧着される。これにより、ヘッド部２０内における水処理カートリッジ１４の一次側と二次側とが水密に隔離され、ヘッド部２０内で原水が水処理カートリッジ１４の外側を通って散水板４２側に回り込むことが防止される。
この例では、パッキン１６における背面側の平面部にヘッド部２０の第１周壁部３０の先端部がめり込むように圧着されている。そのため、ヘッド部２０とシャワーキャップ１２の隙間から水が漏れることがより安定して抑制されている。
【００３２】
このように、シャワーヘッド１においては、グリップ１８の流路１８ａを通じてヘッド部２０内に流通してきた原水の全量が水処理カートリッジ１４内に流入して浄化され、散水板４２の散水孔４２ａからシャワー状に散水される。また、パッキン１６は、Ｏリングに比べて剛性が高いため、カートリッジ交換の際にねじれにくく、また耐摩耗性に優れているため摩耗や損傷等も生じにくい。そのため、水処理カートリッジを繰り返し交換しても、ヘッド部内における水処理カートリッジの一次側と二次側との隔離の水密性を充分に確保することができる。
【００３３】
以上説明したように、本発明のシャワーヘッドにおいては、環状で内側に平面部が形成されたパッキンによってヘッド部内における水処理カートリッジの一次側と二次側とを水密に隔離する。そのため、水処理カートリッジを繰り返し交換しても、ヘッド部内における水処理カートリッジの一次側と二次側との隔離の水密性を充分に確保することができる。
【００３４】
なお、本発明のシャワーヘッドは、前記したシャワーヘッド１には限定されない。例えば、環状で内側に平面部が形成されたパッキンは、シャワーキャップの内側に固定されていなくてもよく、例えばシャワーヘッド本体のヘッド部に固定されていてもよい。
また、本発明のシャワーヘッドは、環状で内側に平面部が形成されたパッキンによってヘッド部内における水処理カートリッジの一次側と二次側とを水密に隔離するものであれば、公知の水処理カートリッジを備えるものであってもよい。シャワーヘッド本体及びシャワーキャップについても、公知の態様を採用してもよく、シャワーキャップがネジ式でヘッド部に螺合装着されるものであってもよい。また、ヘッド部２０において支柱２６が設けられていないシャワーヘッドであってもよい。
【符号の説明】
【００３５】
１  シャワーヘッド
１０  シャワーヘッド本体
１２  シャワーキャップ
１３  浄化材
１４  水処理カートリッジ
１６  パッキン
１６ａ  平面部
１８  グリップ
２０  ヘッド部
２２  収納部
２４  支持部
２６  支柱
４６，４８  段差
【図１】
0006801190.tif 000002
【図２】
0006801190.tif 000003
【図３】
0006801190.tif 000004